(57)【要約】【課題】  製作工程を簡略化してコストの低減を図ることができるバルコニーの構築工法を提供することである。【解決手段】  バルコニーの構築工法は、プレキャストコンクリートで一体的に形成された垂れ壁２と腰壁３との境に床鉄筋４および床型枠５が垂直状に突設してなるバルコニー用壁体１を、バルコニーの先端部に建て込んで支保工１８で支持するとともに、前記床型枠５の後端部を梁１５の上面に設置し、該梁１５上面の固定プレート１７に床型枠５の後端部に設けた調整アングル１６が取り付けられ、該調整アングル１６のルーズホール２４に挿入した固定プレート１７の取付ボルト２５と、調整アングル１６に設けた、下端が梁１５の上面に当接したレベル調整ボルト２６とにより、バルコニー用壁体１の建て入れ調整をした後に、前記床型枠５上にコンクリート２８を打設することである。【選択図】図１
2005105680.tif 000002
【特許請求の範囲】
【請求項１】
プレキャストコンクリートで一体的に形成された垂れ壁と腰壁との境に床鉄筋および床型枠が垂直状に突設してなるバルコニー用壁体を、バルコニーの先端部に建て込んで支保工で支持するとともに、前記床型枠の後端部を梁の上面に設置し、該梁の上面の固定プレートに床型枠の後端部に設けた調整アングルが取り付けられ、該調整アングルのルーズホールに挿入した固定プレートの取付ボルトと、調整アングルに設けた、下端が梁の上面に当接したレベル調整ボルトとにより、バルコニー用壁体の建て入れ調整をした後に、前記床型枠上にコンクリートを打設することを特徴とするバルコニーの構築工法。
【請求項２】
垂れ壁と梁との間、および腰壁と梁との間には補強材が掛け渡されたことを特徴とする請求項１に記載のバルコニーの構築工法。
【発明の詳細な説明】
【技術分野】
【０００１】
本発明はバルコニーの構築工法に関するものである。
【背景技術】
【０００２】
従来、バルコニーの構築工法には、例えば特開平１１−３４３６６２号公報の発明がある。また、この他にも図５に示す構築工法があり、（１）に示す工法は、腰壁２９と溝部分３０とをプレキャストコンクリート、床板３１をハーフプレキャストコンクリートとし、垂れ壁３２は現場において別個に取り付けるものである。また（２）に示す工法は、プレキャストコンクリートの型枠ベット３３を作成し、垂れ壁３２を腰壁２９および床３４とを同時に製作する方法である。
【特許文献１】特開平１１−３４３６６２号公報
【発明の開示】
【発明が解決しようとする課題】
【０００３】
しかし、上記のようなバルコニーの構築工法における（１）の工法は、垂れ壁を別に製作する必要があること、垂れ壁を支持する別の部材が必要であること、取り付けに仮設足場が必要であることなどの不具合があった。また（２）の工法は、型枠ベッドを作る必要があること、製作位置が高くなり効率が悪いこと、垂れ壁用の押さえ型枠が必要となることなどの不具合があり、コストが高かった。
【０００４】
本発明は上記のような問題に鑑みてなされたものであり、その目的は、製作工程を簡略化してコストの低減を図ることができるバルコニーの構築工法を提供することである。
【課題を解決するための手段】
【０００５】
本発明のバルコニーの構築工法は、プレキャストコンクリートで一体的に形成された垂れ壁と腰壁との境に床鉄筋および床型枠が垂直状に突設してなるバルコニー用壁体を、バルコニーの先端部に建て込んで支保工で支持するとともに、前記床型枠の後端部を梁の上面に設置し、該梁の上面の固定プレートに床型枠の後端部に設けた調整アングルが取り付けられ、該調整アングルのルーズホールに挿入した固定プレートの取付ボルトと、調整アングルに設けた、下端が梁の上面に当接したレベル調整ボルトとにより、バルコニー用壁体の建て入れ調整をした後に、前記床型枠上にコンクリートを打設することを特徴とする。また垂れ壁と梁との間、および腰壁と梁との間には補強材が掛け渡されたことを特徴とする。
【発明の効果】
【０００６】
プレキャストコンクリートの垂れ壁と腰壁との境に床鉄筋および床型枠が垂直状に突設してなるバルコニー用壁体を使用することにより、バルコニーおよびその壁面を簡単に構築することができるので、工期の短縮およびコストの低減を図ることができる。また垂れ壁取付用部材が不要となるため、資源の省略を図ることができる。
【発明を実施するための最良の形態】
【０００７】
プレキャストコンクリートで一体的に形成された垂れ壁と腰壁との境に床鉄筋および床型枠が垂直状に突設してなるバルコニー用壁体により、バルコニーおよびその壁面を簡単に構築するという課題を達成することができる。
【実施例１】
【０００８】
図１〜図４は実施例１のバルコニーの構築工法であり、この構築工法はバルコニー用壁体１を使用するものである。このバルコニー用壁体１は垂れ壁２と腰壁３とがプレキャストコンクリートで一体的に形成され、この垂れ壁２と腰壁３との境に床鉄筋４および床型枠５が垂直状に突設して構成されている。
【０００９】
このバルコニー用壁体１の製作は、図１に示すように、型枠ベッド６に形成された垂れ壁および腰壁用の型枠７内に補強筋８を配筋するとともに、垂れ壁２と腰壁３との境界部に床鉄筋４および床型枠５を垂直状に設置する。すなわち、これらの床鉄筋４および床型枠５は垂れ壁２および腰壁３に対して直角になるように配筋される。この床型枠５はフラットデッキなどの鋼板であり、この鋼板にトラス筋などの床鉄筋４が適宜間隔ごとに配筋されている。
【００１０】
そして、前記の垂れ壁および腰壁用の型枠７に、床の溝型枠を取り付ける取付用袋ナット９と、垂れ壁２などの落下を防止する防止用袋ナット１０と、床鉄筋４の変形を防ぐ変形防止用袋ナット１１と、建て入れを調整する調整用袋ナット１２とを設置する。
【００１１】
そして、この補強筋８、床鉄筋４および床型枠５が設置された型枠７内にコンクリート１３を打設し、このコンクリート１３が硬化した後に、型枠７を解体すると、プレキャストコンクリートの垂れ壁２と腰壁３との境に床鉄筋４および床型枠５が垂直状に突設したバルコニー用壁体１が製作される。
【００１２】
このように製作されたバルコニー用壁体１を、図２に示すように、クレーンで吊り上げてデッキ型枠１４の先端部に建て込んで、床型枠５端部を梁１５の上面に設置するとともに、床型枠５の端部に設けた調整アングル１６を梁上面の固定プレート１７に取り付ける。そして、このバルコニー用壁体１を支保工１８で支持するとともに、取付用袋ナット９により、床の溝型枠１９を取り付ける。また、防止用袋ナット１０と梁１５上面とにわたって落下防止用鋼材２０を掛け渡し、変形防止用袋ナット１１と床鉄筋４とにわたって床鉄筋補強材２１を掛け渡し、調整用袋ナット１２と梁下面の接続プレート２２との間に建て入れ調整材２３を掛け渡す。
【００１３】
前記調整アングル１６のルーズホール２４には、図３に示すように、固定プレートの取付ボルト２５が挿入され、この取付ボルト２５でバルコニー用壁体１の出入りが調整され、調整アングルのレベル調整ボルト２６とによって床型枠５のレベルが調整され、建て入れ調整材２３のターンバックル２７によってバルコニー用壁体１の傾きが調整される。
【００１４】
このようにしてバルコニー用壁体１が建て入れ調整された後に、床型枠５およびデッキ型枠１４内にコンクリート２８が打設され、これが硬化した後に、これらの補強材および調整材２０、２１、２３を撤去すると、垂れ壁２と腰壁３とが一体になったバルコニーが構築される。
【産業上の利用可能性】
【００１５】
垂れ壁と腰壁とがプレキャストコンクリートで形成されたバルコニー用壁体により、バルコニーを構築にすることができる。
【図面の簡単な説明】
【００１６】
【図１】バルコニー用壁体の製造を示す断面図である。
【図２】バルコニーの構築工法を示す断面図である。
【図３】（１）は調整アングルの断面図、（２）は同平面図である。
【図４】（１）は接続プレートの正面図、（２）は接続プレートに建て入れ調整材を接続する正面図である。
【図５】（１）および（２）はバルコニーの構築工法の断面図である。
【符号の説明】
【００１７】
１  バルコニー用壁体
２、３２  垂れ壁
３、２９  腰壁
４  床鉄筋
５  床型枠
６  型枠ベッド
７  型枠
８  補強筋
９  取付用袋ナット
１０  防止用袋ナット
１１  変形防止用袋ナット
１２  調整用袋ナット
１３  コンクリート  
１４  デッキ型枠
１５  梁
１６  調整アングル
１７  固定プレート
１８  支保工
１９  床の溝型枠
２０  落下防止用鋼材
２１  床鉄筋補強材
２２  接続プレート
２３  建て入れ調整材
２４  ルーズホール
２５  取付ボルト
２６  レベル調整ボルト      
２７  ターンバックル
２８  コンクリート
３０  溝部分
３１  床板
３３  型枠ベッド
３４  床
【図１】
2005105680.tif 000003
【図２】
2005105680.tif 000004
【図３】
2005105680.tif 000005
【図４】
2005105680.tif 000006
【図５】
2005105680.tif 000007